(57)【要約】【課題】スキャナーを用いた高精度な測色を行う。【解決手段】チャート画像データの印刷物をスキャナーで読み取ることで得られたデバイス依存色空間の第１の色値、前記チャート画像データのＫ値、および前記印刷物を測色器で測色して得られたデバイス非依存色空間の第２の色値からスキャナープロファイルを作成する。【選択図】図７
2015228579.tif 000002
【特許請求の範囲】
【請求項１】
画像を読み取ってデバイス依存色空間の第１の色値を取得するスキャナーと、画像を測色することによりデバイス非依存色空間の第２の色値を取得する測色器と、を用いた前記スキャナーのスキャナープロファイルの作成方法であって、
Ｃ、Ｍ、Ｙ、Ｋ値から構成された色と濃度を異ならせた複数のパッチを含むチャート画像データの印刷物を、前記スキャナーで読み取ることで、パッチの第１の色値を取得するステップと、
前記チャート画像データの前記パッチのＫ値を取得するステップと、
前記印刷物を前記測色器で測色することで前記パッチの第２の色値を取得するステップと、
取得した前記複数のパッチそれぞれの前記第１の色値、前記Ｋ値、および前記第２の色値により、第１の色値およびＫ値に対する、第２の色値の関係を記述したスキャナープロファイルを作成するステップと
を含むことを特徴とするスキャナープロファイルの作成方法。
【請求項２】
請求項１で作成した前記スキャナープロファイルを用いたデバイスプロファイルの作成方法であって、
Ｃ、Ｍ、Ｙ、Ｋ値から構成された色と濃度を異ならせた複数のパッチを含むデバイスプロファイル作成用チャート画像データのデバイスによる印刷物を前記スキャナーで読み取ることで、パッチの第１の色値を取得するステップと、
前記デバイスプロファイル作成用チャート画像データのパッチのＫ値を取得するステップと、
取得した前記複数のパッチそれぞれの前記Ｋ値と前記第１の色値とを対応づけるステップと、
前記スキャナーのスキャナープロファイルを用い、前記対応づけた前記第１の色値と前記Ｋ値から、第２の色値を算出するステップと、
前記印刷物のデバイスプロファイル作成用チャート画像データのＣ、Ｍ、Ｙ、Ｋ値と算出した前記第２の色値によりＣ、Ｍ、Ｙ、Ｋ値に対する第２の色値の関係を記述したデバイスプロファイルを作成するステップと
を含むことを特徴とするデバイスプロファイルの作成方法。
【請求項３】
前記デバイスがＣ、Ｍ、Ｙ、Ｋ値に基づいて印刷物を出力するプリンターであり、前記デバイスプロファイルが前記プリンターのプリンター・プロファイルである
ことを特徴とする請求項２に記載のデバイスプロファイルの作成方法。
【請求項４】
前記デバイスが基準となるターゲット・デバイスであり、前記印刷物がターゲット・デバイスにより印刷された基準チャートであり、前記デバイスプロファイルが前記ターゲット・デバイスのデバイスプロファイルである
ことを特徴とする請求項２に記載のデバイスプロファイルの作成方法。
【請求項５】
請求項１で作成した前記スキャナープロファイルを用いた色値の取得方法であって、
Ｃ、Ｍ、Ｙ、Ｋ値から構成された画像データの印刷物を前記スキャナーで読み取ることで、前記第１の色値を取得するステップと、
前記印刷物の画像データのＫ値を取得するステップと、
前記スキャナーのスキャナープロファイルを用い、前記取得した前記第１の色値と前記Ｋ値から、第２の色値を算出するステップと
を含むことを特徴とするスキャナープロファイルを用いた色値の取得方法。
【請求項６】
画像を読み取ってデバイス依存色空間の第１の色値を取得するスキャナーを備えた画像読取システムで実行されるプログラムであって、
Ｃ、Ｍ、Ｙ、Ｋ値から構成された色と濃度を異ならせた複数のパッチを含むチャート画像データの印刷物を、前記スキャナーで読み取ることで、パッチの第１の色値を取得するステップと、
前記チャート画像データの前記パッチのＫ値を取得するステップと、
デバイス非依存色空間の第２の色値を取得する測色器により、前記印刷物を測色することで前記パッチの第２の色値を取得するステップと、
取得した前記複数のパッチそれぞれの前記第１の色値、前記Ｋ値、および前記第２の色値により、第１の色値およびＫ値に対する、第２の色値の関係を記述したスキャナープロファイルを作成するステップと
を画像読取システムに実行させることを特徴とする制御プログラム。
【請求項７】
Ｃ、Ｍ、Ｙ、Ｋ値から構成された色と濃度を異ならせた複数のパッチを含むデバイスプロファイル作成用チャート画像データの印刷物を前記スキャナーで読み取ることで、パッチの第１の色値を取得するステップと、
前記デバイスプロファイル作成用チャート画像データのパッチのＫ値を取得するステップと、
取得した前記複数のパッチそれぞれの前記Ｋ値と前記第１の色値とを対応づけるステップと、
前記スキャナーのスキャナープロファイルを用い、前記対応づけた前記第１の色値と前記Ｋ値から、第２の色値を算出するステップと、
前記印刷物のデバイスプロファイル作成用チャート画像データのＣ、Ｍ、Ｙ、Ｋ値と算出した前記第２の色値によりＣ、Ｍ、Ｙ、Ｋ値に対する第２の色値の関係を記述したデバイスプロファイルを作成するステップと
を含むことを特徴とする請求項６に記載の制御プログラム。
【請求項８】
Ｃ、Ｍ、Ｙ、Ｋ値から構成された色と濃度を異ならせた複数のパッチを含むチャート画像データの印刷物を読み取ってデバイス依存色空間の第１の色値を取得するスキャナーと、
前記チャート画像データの前記パッチのＫ値が保存された記憶部と、
デバイス非依存色空間の第２の色値を出力する測色器により、前記印刷物を測色することで得られたパッチの前記第２の色値を取得する色値取得部と、
前記複数のパッチそれぞれの前記Ｋ値、前記第１の色値、および前記第２の色値により前記第１の色値および前記Ｋ値に対する、前記第２の色値の関係を記述したスキャナープロファイルを作成するスキャナープロファイル作成部と
を備えることを特徴とする画像読取システム。
【請求項９】
Ｃ、Ｍ、Ｙ、Ｋ値から構成された色と濃度を異ならせた複数のパッチを含むチャート画像データに基づいてプリントを行って印刷物を出力するプリント部と、
前記プリント部が生成した前記チャート画像データの印刷物を読み取ってデバイス依存色空間の第１の色値を取得するスキャナーと、
前記チャート画像データの前記パッチのＫ値と、該パッチの画像を読み取って得られた第１の色値とを対応づけて記憶する記憶部と、
デバイス非依存色空間の第２の色値を出力する測色器により、前記印刷物を測色することで得られたパッチの前記第２の色値を取得する色値取得部と、
前記複数のパッチそれぞれの前記Ｋ値、前記第１の色値、および前記第２の色値により第１の色値およびＫ値に対する、第２の色値の関係を記述したスキャナープロファイルを作成するスキャナープロファイル作成部と
を備えることを特徴とする画像形成装置。
【請求項１０】
前記スキャナープロファイルを用いＣ、Ｍ、Ｙ、Ｋ値から構成された色と濃度を異ならせた複数のパッチを含むプリンター・プロファイル作成用チャート画像データの前記プリント部による印刷物を前記スキャナーで読み取ることで得られたパッチの第１の色値と、該プリンター・プロファイル作成用チャート画像データのＫ値とから第２の色値を算出する色変換部と、
前記プリンター・プロファイル作成用チャート画像データのＣ、Ｍ、Ｙ、Ｋ値と、前記色変換部が算出した前記第２の色値によりＣ、Ｍ、Ｙ、Ｋ値に対する第２の色値の関係を記述したプリンター・プロファイルを作成するプリンター・プロファイル作成部と
を備えることを特徴とする請求項９に記載の画像形成装置。
【発明の詳細な説明】
【技術分野】
【０００１】
本発明は、Ｒ、Ｇ、Ｂのようなデバイス依存色空間の色値を出力するスキャナーを用いて、ＣＩＥ  ＸＹＺのようなデバイス非依存色空間の色値を得る方法に関する。
【背景技術】
【０００２】
近年、プロダクションプリントの分野において、カラープリントの需要が増加してきている。また、プロダクションプリントにおいては高精度の色再現性が求められ、その要求にこたえるためには、ほとんどの場合において高度な色調整が必要である。その一方で、その調整を高度な知識を必要とせずに簡単に、短時間で行えることが求められていた。
【０００３】
調整を短時間で行う方法としては、例えば特許文献１にあるようにプリンタシステムが備えるスキャナーを用いてデバイス非依存色空間（標準色空間）の色を得ることが考えられる。
【０００４】
例えば引用文献１においては、ルックアップテーブルを用いてスキャナーで読み取ったＲＧＢデータをデバイスに依存しないデバイス非依存色空間の色に変換している。そしてその変換に用いる読み取りＲＧＢからＬ＊ａ＊ｂ＊に変換するルックアップテーブルに関しては、プロファイル作成チャートを読み取ったスキャナデバイスＲＧＢデータと、各色票の測色値（Ｌ＊ａ＊ｂ＊）から最適化を行っている。
【０００５】
また、特許文献１ではスキャナメタメリズムによって、印刷原稿と銀塩写真原稿といったような原稿種が異なる色票を読み取った時に、その色票の測色器による測色値は同じ値であっても、スキャナーでは複数の異なるＲＧＢデータ値として読み取られてしまうという課題（多対１）に対して、彩度を小さくなるようにルックアップテーブルの要素を調整することで解決を図っている。
【先行技術文献】
【特許文献】
【０００６】
【特許文献１】特開２００８−３１２１１７号公報
【発明の概要】
【発明が解決しようとする課題】
【０００７】
しかしながら、特許文献１のように、単に色票の測色値（Ｌ＊ａ＊ｂ＊）に基づいて、読み取ったＲＧＢからＬ＊ａ＊ｂ＊に変換するルックアップテーブルの最適化を行ったとしても、必ずしも高精度な測色結果が得られるわけではない。
【０００８】
特に、色票内の同じ色のパッチを異なるＫ版量で形成した場合において、スキャナーでは同じＲＧＢデータとして読み取られるが、測色器の測色値は必ずしも同じ値にならないという課題（１対多）については特許文献１では認識されておらずまたこれを解決する手段については言及されていない。
【０００９】
本発明はこのような事情に鑑みてなされたものであり、異なる色をスキャナーで同じＲＧＢデータとして読み取った場合であっても（１対多）、高精度に色変換可能なスキャナープロファイルを提供することを目的とするものである。
【課題を解決するための手段】
【００１０】
本発明の上記目的は、下記の手段によって達成される。
【００１１】
１．画像を読み取ってデバイス依存色空間の第１の色値を取得するスキャナーと、画像を測色することによりデバイス非依存色空間の第２の色値を取得する測色器と、を用いた前記スキャナーのスキャナープロファイルの作成方法であって、
Ｃ、Ｍ、Ｙ、Ｋ値から構成された色と濃度を異ならせた複数のパッチを含むチャート画像データの印刷物を、前記スキャナーで読み取ることで、パッチの第１の色値を取得するステップと、
前記チャート画像データの前記パッチのＫ値を取得するステップと、
前記印刷物を前記測色器で測色することで前記パッチの第２の色値を取得するステップと、
取得した前記複数のパッチそれぞれの前記第１の色値、前記Ｋ値、および前記第２の色値により、第１の色値およびＫ値に対する、第２の色値の関係を記述したスキャナープロファイルを作成するステップと
を含むことを特徴とするスキャナープロファイルの作成方法。
【００１２】
２．前記１で作成した前記スキャナープロファイルを用いたデバイスプロファイルの作成方法であって、
Ｃ、Ｍ、Ｙ、Ｋ値から構成された色と濃度を異ならせた複数のパッチを含むデバイスプロファイル作成用チャート画像データのデバイスによる印刷物を前記スキャナーで読み取ることで、パッチの第１の色値を取得するステップと、
前記デバイスプロファイル作成用チャート画像データのパッチのＫ値を取得するステップと、
取得した前記複数のパッチそれぞれの前記Ｋ値と前記第１の色値とを対応づけるステップと、
前記スキャナーのスキャナープロファイルを用い、前記対応づけた前記第１の色値と前記Ｋ値から、第２の色値を算出するステップと、
前記印刷物のデバイスプロファイル作成用チャート画像データのＣ、Ｍ、Ｙ、Ｋ値と算出した前記第２の色値によりＣ、Ｍ、Ｙ、Ｋ値に対する第２の色値の関係を記述したデバイスプロファイルを作成するステップと
を含むことを特徴とするデバイスプロファイルの作成方法。
【００１３】
３．前記デバイスがＣ、Ｍ、Ｙ、Ｋ値に基づいて印刷物を出力するプリンターであり、前記デバイスプロファイルが前記プリンターのプリンター・プロファイルである
ことを特徴とする前記２に記載のデバイスプロファイルの作成方法。
【００１４】
４．前記デバイスが基準となるターゲット・デバイスであり、前記印刷物がターゲット・デバイスにより印刷された基準チャートであり、前記デバイスプロファイルが前記ターゲット・デバイスのデバイスプロファイルである
ことを特徴とする前記２に記載のデバイスプロファイルの作成方法。
【００１５】
５．前記１で作成した前記スキャナープロファイルを用いた色値の取得方法であって、
Ｃ、Ｍ、Ｙ、Ｋ値から構成された画像データの印刷物を前記スキャナーで読み取ることで、前記第１の色値を取得するステップと、
前記印刷物の画像データのＫ値を取得するステップと、
前記スキャナーのスキャナープロファイルを用い、前記取得した前記第１の色値と前記Ｋ値から、第２の色値を算出するステップと
を含むことを特徴とするスキャナープロファイルを用いた色値の取得方法。
【００１６】
６．画像を読み取ってデバイス依存色空間の第１の色値を取得するスキャナーを備えた画像読取システムで実行されるプログラムであって、
Ｃ、Ｍ、Ｙ、Ｋ値から構成された色と濃度を異ならせた複数のパッチを含むチャート画像データの印刷物を、前記スキャナーで読み取ることで、パッチの第１の色値を取得するステップと、
前記チャート画像データの前記パッチのＫ値を取得するステップと、
デバイス非依存色空間の第２の色値を取得する測色器により、前記印刷物を測色することで前記パッチの第２の色値を取得するステップと、
取得した前記複数のパッチそれぞれの前記第１の色値、前記Ｋ値、および前記第２の色値により、第１の色値およびＫ値に対する、第２の色値の関係を記述したスキャナープロファイルを作成するステップと
を画像読取システムに実行させることを特徴とする制御プログラム。
【００１７】
７．Ｃ、Ｍ、Ｙ、Ｋ値から構成された色と濃度を異ならせた複数のパッチを含むデバイスプロファイル作成用チャート画像データの印刷物を前記スキャナーで読み取ることで、パッチの第１の色値を取得するステップと、
前記デバイスプロファイル作成用チャート画像データのパッチのＫ値を取得するステップと、
取得した前記複数のパッチそれぞれの前記Ｋ値と前記第１の色値とを対応づけるステップと、
前記スキャナーのスキャナープロファイルを用い、前記対応づけた前記第１の色値と前記Ｋ値から、第２の色値を算出するステップと、
前記印刷物のデバイスプロファイル作成用チャート画像データのＣ、Ｍ、Ｙ、Ｋ値と算出した前記第２の色値によりＣ、Ｍ、Ｙ、Ｋ値に対する第２の色値の関係を記述したデバイスプロファイルを作成するステップと
を含むことを特徴とする前記６に記載の制御プログラム。
【００１８】
８．Ｃ、Ｍ、Ｙ、Ｋ値から構成された色と濃度を異ならせた複数のパッチを含むチャート画像データの印刷物を読み取ってデバイス依存色空間の第１の色値を取得するスキャナーと、
前記チャート画像データの前記パッチのＫ値が保存された記憶部と、
デバイス非依存色空間の第２の色値を出力する測色器により、前記印刷物を測色することで得られたパッチの前記第２の色値を取得する色値取得部と、
前記複数のパッチそれぞれの前記Ｋ値、前記第１の色値、および前記第２の色値により前記第１の色値および前記Ｋ値に対する、前記第２の色値の関係を記述したスキャナープロファイルを作成するスキャナープロファイル作成部と
を備えることを特徴とする画像読取システム。
【００１９】
９．Ｃ、Ｍ、Ｙ、Ｋ値から構成された色と濃度を異ならせた複数のパッチを含むチャート画像データに基づいてプリントを行って印刷物を出力するプリント部と、
前記プリント部が生成した前記チャート画像データの印刷物を読み取ってデバイス依存色空間の第１の色値を取得するスキャナーと、
前記チャート画像データの前記パッチのＫ値と、該パッチの画像を読み取って得られた第１の色値とを対応づけて記憶する記憶部と、
デバイス非依存色空間の第２の色値を出力する測色器により、前記印刷物を測色することで得られたパッチの前記第２の色値を取得する色値取得部と、
前記複数のパッチそれぞれの前記Ｋ値、前記第１の色値、および前記第２の色値により第１の色値およびＫ値に対する、第２の色値の関係を記述したスキャナープロファイルを作成するスキャナープロファイル作成部と
を備えることを特徴とする画像形成装置。
【００２０】
１０．前記スキャナープロファイルを用いＣ、Ｍ、Ｙ、Ｋ値から構成された色と濃度を異ならせた複数のパッチを含むプリンター・プロファイル作成用チャート画像データの前記プリント部による印刷物を前記スキャナーで読み取ることで得られたパッチの第１の色値と、該プリンター・プロファイル作成用チャート画像データのＫ値とから第２の色値を算出する色変換部と、
前記プリンター・プロファイル作成用チャート画像データのＣ、Ｍ、Ｙ、Ｋ値と、前記色変換部が算出した前記第２の色値によりＣ、Ｍ、Ｙ、Ｋ値に対する第２の色値の関係を記述したプリンター・プロファイルを作成するプリンター・プロファイル作成部と
を備えることを特徴とする前記９に記載の画像形成装置。
【発明の効果】
【００２１】
本願発明によれば、チャート画像データの印刷物をスキャナーで読み取ることで得られたデバイス依存色空間の第１の色値、チャート画像データのＫ値、および印刷物を測色器で測色して得られたデバイス非依存色空間の第２の色値からスキャナープロファイルを作成することで、高精度にデバイス非依存色空間の色値を得ることが可能となる。
【図面の簡単な説明】
【００２２】
【図１】印刷システムの構成を示すブロック図である。
【図２】コントローラー１００の構成を示すブロック図である。
【図３】画像形成装置２００の構成を示すブロック図である。
【図４】記憶部１２０に保存されているデータを説明する模式図である。
【図５】チャート画像データの内容を説明するイメージ図である。
【図６】各プロファイルを説明する図である。
【図７】スキャナープロファイルの作成方法を示す制御フロー図である。
【図８】スキャナープロファイルを用いた色値の取得方法を示す制御フロー図である。
【図９】波長に対する分光感度特性を示す図である。
【図１０】波長に対する分光反射率を示す図である。
【図１１】図９、図１０を重ねた図の拡大図である。
【図１２】プリンター・プロファイルの作成方法を示す制御フロー図である。
【図１３】ターゲット・デバイスのデバイスプロファイルの作成方法を示す制御フロー図である。
【発明を実施するための形態】
【００２３】
以下、添付した図面を参照して、本発明の実施形態を説明する。なお、図面、および本願明細書において同一の要素には同一の符号を付し、重複する説明を省略する。また、図面の寸法比率は、説明の都合上誇張されており、実際の比率とは異なる場合がある。
【００２４】
図１〜図３は、本発明の実施形態に係る印刷システムの構成を示すブロック図である。図１に示すように印刷システムは、ＰＣ（パーソナルコンピューター）などにより構成されるコントローラー１００、および画像形成装置２００を備え、これらはネットワーク４００により相互に通信可能に接続される。また、ネットワーク４００に接続する、ＰＣなどにより構成される端末３１０には、測色器３２０がＵＳＢ規格などでローカル接続されている。
【００２５】
図２に示すように、コントローラー１００は、ＣＰＵ、ＲＡＭなどを備えた制御部１１０、半導体メモリ（ＲＯＭ、ＳＳＤ等）やハードディスク（ＨＤＤ）で構成される記憶部１２０、ネットワーク４００に接続する各種端末と通信を行う通信インターフェース１３０、マウス、キーボード、あるいはタッチパネルに重畳されるタッチセンサなどから構成される操作部１４０、および液晶ディスプレイで構成される表示部１５０を有し、これらはバスなど信号線１９０を介して相互に接続されている。
【００２６】
図３に示すように、画像形成装置２００は、制御部２１０、記憶部２２０、通信インターフェース２３０、操作部２４０、表示部２５０、プリント部２６０、スキャナー部２７０、および信号線２９０を備える。プリント部２６０およびスキャナー部２７０以外の構成は、コントローラー１００の構成と同様であり、説明は省略する。
【００２７】
プリント部２６０はＣ、Ｍ、Ｙ、Ｋの４色のカラートナー、あるいはカラーインクなどの色材をそれぞれ内蔵する現像部を備え、ＣＭＹＫの色信号に応じて、用紙上にフルカラーの画像を形成する。
【００２８】
（スキャナー部２７０）
スキャナー部２７０は、光源（ランプ）により原稿に対して一様な光を照射し、その反射光を、受光レンズを介してライン状のセンサーに結像させることで測色を行う。ＣＣＤやＣＭＯＳなどで構成されるセンサーはＲＧＢの３種類のフィルターで被覆されており、フィルターの種類に対応したＲ、Ｇ、Ｂの色値を出力する。このＲ、Ｇ、Ｂの色値は、測色器３２０から取得するデバイス非依存色空間の色値とは異なり、スキャナー部２７０の特性に依存するデバイス依存色空間の色値（第１の色値）である。
【００２９】
スキャナー部２７０は、プリント部２６０の下流側の用紙搬送経路中に配置されている。そしてプリント部２６０で画像が形成された搬送中の用紙を読み取り可能である。制御部２１０は、用紙上に形成されたパッチ画像その他の画像の位置情報を、プリント部２６０での画像形成の元になる印刷データを解析することにより知ることができる。得られたパッチ画像の位置情報により各パッチの画像を読み取って得られたＲ、Ｇ、Ｂの色値と、当該パッチの画像データのＫ値を対応づけることが可能となる。
【００３０】
（測色器３２０）
図１に示す測色器３２０は、分光測色計とも称されるもので、被測定物表面からの反射光を測定することで、表面の可視光範囲あるいは、近赤外〜近紫外の波長領域内の分光分布を得ることができる。また分光分布以外の出力として、デバイス非依存色空間の色値（色彩値）を出力することができる。このデバイス非依存色空間の色値（第２の色値）としては、ＣＩＥ  ＸＹＺ、ＣＩＥ  Ｌａｂ（以下Ｌ＊ａ＊ｂ＊と記述する）がある。
【００３１】
測定器の具体例としては、ＦＤ７（コニカミノルタ株式会社製）、ｉ１ｉＳｉｓ（アイワン・アイシス（Ｘ―ｒｉｔｅ社製））があり、これによりＤ５０光源その他の各種基準光源下での３８０ｎｍ〜７３０ｎｍの波長領域内での分光データや、ＣＩＥ  ＸＹＺ、Ｌ＊ａ＊ｂ＊の色値を得ることができる。
【００３２】
また、端末３１０には測色器３２０で測色を行う際に動作する制御プログラムが保存されている。印刷物に印刷した画像データ、例えばチャート画像データＤ１（図５で後述する）のような色票（複数のパッチ群を含むチャート）がこの制御プログラムにも登録されており、制御プログラムが指示する手順に従ってユーザーが各パッチ画像の測色を行うことにより、各パッチとその測色値との対応づけを行うことができる。さらに、測色器３２０にシート状の印刷物を搬送する用紙送り機構が備わっているのであれば、以下の手順により制御プログラムが自動で各パッチと測色値との対応づけを行うようにしても良い。最初に用紙送り機構で印刷物を搬送させながらその全面の画像を自動で読み取る（測色）。次に印刷物の４隅や両脇などの所定位置にレジスターマークを配置し、これのレジスターマークと各パッチ画像を画像認識することによりレジスターマークと各パッチ画像の相対位置から各パッチ画像の位置情報を得る。最後にこの位置情報から各パッチと測色値との対応づけを行う。
【００３３】
図４は、コントローラー１００の記憶部１２０に保存されているデータを説明する模式図である。記憶部１２０には、プログラムとしてスキャナープロファイル作成用プログラム、デバイスプロファイル作成用プログラム、および印刷用プログラムが記憶されている。これらは制御部１１０のＲＡＭ等に展開され、ＣＰＵと協働することでこれらのプログラムが実行される。印刷用プログラムは、ワープロソフト等で作成した文書ファイルや、ＴＩＦ、ＥＰＳ（Ｅｎｃａｐｓｕｌａｔｅｄ  ＰｏｓｔＳｃｒｉｐｔ）形式などの画像ファイル、あるいはＰＤＦ形式のファイルなどをＰＳ、ＰＣＬなどのＰＤＬ（ページ記述言語）の印刷データに変換し、これをユーザーにより選択された印刷設定とともに画像形成装置に送信する機能を有する。印刷用プログラム以外のプログラムの内容については、後に制御フロー図に基づいて説明する。
【００３４】
また、画像データとして、（１）スキャナープロファイル作成用のチャート画像データ、（２）プリンター・プロファイル作成用のチャート画像データ、（３）ターゲット・デバイスのデバイスプロファイル作成用のチャート画像データ、（４）プリント部２６０の調整などに用いられる登録チャート画像データなどもあらかじめ記憶されている。なお、これらのチャート画像データは、ＣＭＹＫの色信号で構成される画像データである。
【００３５】
図５は、チャート画像データの内容を説明するイメージ図であり、図５（ａ）、（ｂ）にはそれぞれスキャナープロファイル作成用のチャート画像データ、およびデバイスプロファイル作成用のチャート画像データを示しており、ともに色と濃度を異ならせた複数のパッチを配置させている。
【００３６】
図５（ａ）に示す例では、スキャナープロファイル作成用のチャート画像データＤ１は６ページ分の画像データで構成されている。そして各ページのそれぞれは、Ｋ版量が０、２０、４０、６０、８０、１００％の値である。例えばＫ版量０％のページの画像データでは、全てのパッチに共通して０％のＫが適用されており、これと０−１００％の範囲のＣ、Ｍ、Ｙの組み合わせで構成された色と濃度を異ならせた複数のパッチで構成されている。同様にＫ版量２０％のページの画像データでは、全てのパッチに共通して２０％のＫが適用されており、これと０−１００％の範囲のＣ、Ｍ、Ｙの組み合わせで構成された色と濃度を異ならせた複数のパッチで構成されている。以下、Ｋ版量４０、６０、８０、１００％のそれぞれのページの画像データも同様である。なおこれらの全６ページの画像データ間で、Ｋ値以外のＣ、Ｍ、Ｙの値は同じ値としている。なお、同図の例では０〜１００％の範囲で２０％の刻み幅で全６ページの画像データで構成しているが、刻み幅を１０％（この場合、全１１ページ）で構成したり、他の刻み幅で構成したりしてもよい。
【００３７】
デバイスプロファイル作成用のチャート画像データＤ２は、図５（ｂ）に示す例では１ページ分の画像データで構成されており、１ページ内にＫ版量が０、２０、４０、６０、８０、１００％のＫと、これに対して０−１００％の範囲のＣ、Ｍ、Ｙを組み合わせて構成された色と濃度が異なる複数のパッチで構成されている。なお、具体的な説明は省略するが、登録チャートのチャート画像データＤ３も、は任意にＣ、Ｍ、Ｙ、Ｋの組み合わせの複数パッチで構成されたチャートであればよく、キャリブレーション用チャートや色管理用チャートを予め登録しておいてもよい。
【００３８】
図４の説明に戻る、記憶部１２０にはそれぞれのチャート画像データに対しては対応するＫ値の情報を示すデータが保存されている。例えば図５（ａ）のようなチャート画像データであれば１、２、３、４、５、６ページのＫ値は、それぞれ０、２０、４０、６０、８０、１００％であることが保存されており、図５（ｂ）のようなチャート画像データであれば、１ページ内の領域毎のＫの値を、ページ内の位置情報と対応づけて保存している。
【００３９】
また、記憶部１２０には、スキャナープロファイル、およびデバイスプロファイルが保存されている。スキャナープロファイルは、スキャナー部２７０の特性を記述したものであり例えば、図６（ａ）に示すようにＲ、Ｇ、Ｂ、Ｋの入力信号をＣＩＥ  ＸＹＺの出力信号に変換するＬＵＴ（ルックアップテーブル）である。デバイスプロファイルは、図６（ｂ）に示すようにＣ、Ｍ、Ｙ、Ｋの入力信号をＬ＊ａ＊ｂ＊の出力信号に変換するＬＵＴと、図６（ｃ）に示すＬ＊ａ＊ｂ＊の入力信号をＣ、Ｍ、Ｙ、Ｋの出力信号に変換するＬＵＴから成る。ここでは、デバイスプロファイルのデバイス非依存色空間としてＬ＊ａ＊ｂ＊を用いたが、デバイス非依存色空間としてＸＹＺを用いてもよい。これらの作成方法については以下、それぞれ説明する。
【００４０】
＜スキャナープロファイルの作成方法＞
図７は、印刷システムが実行する、スキャナープロファイルの作成方法を示す制御フロー図である。これは印刷システムがスキャナープロファイル作成用のプログラムを用いて実行するものである。
【００４１】
最初に、コントローラー１００の制御部１１０は、記憶部１２０に保存されているスキャナープロファイル作成用のチャート画像データＤ１、あるいはこれを印刷データ（ＰＤＬ）に変換したものを、ネットワーク４００を介して画像形成装置２００に送信することで出力指示を行う（Ｓ１０１）。
【００４２】
このコントローラー１００からの出力指示に基づいて、画像形成装置２００の制御部２１０はＣ、Ｍ、Ｙ、Ｋ値から構成された色と濃度を異ならせた複数のパッチを含むチャート画像データＤ１の印刷をプリント部２６０に実行させ、この結果、得られた複数枚（図５（ａ）の例では６枚）の印刷物をスキャナー部２７０で読み取らせる（Ｓ１５１、Ｓ１５２）。ここでは、パッチを複数枚に分けて配置したが、複数パッチが１枚に収まる場合には１枚に配置してもよい。
【００４３】
そして、制御部２１０は得られた複数のパッチ画像それぞれのＲＧＢの色値（第１の色値）を、ネットワーク４００を介してコントローラー１００に送信する（Ｓ１５３）。
【００４４】
各パッチ画像の色値を受信したコントローラー１００の制御部１１０は、チャート画像データＤ１のＫ値を記憶部１２０から取得して、これを先ほど受信した色値（ＲＧＢ）と対応づける。これを各パッチに対して行う（Ｓ１０２、Ｓ１０３、Ｓ１０４）。
【００４５】
一方で、ユーザーは、ステップＳ１５１で得られた印刷物に対して測色器３２０を用いて測色を行い各パッチ画像の色値を得る（Ｓ１６１）。そして端末３１０を操作することで、得られた色値（第２の色値：ＣＩＥ  ＸＹＺ）をコントローラー１００にネットワーク４００を介して送信する（Ｓ１６２）。なお、端末３１０を用いずにユーザーがＵＳＢメモリなどの可搬型の記憶媒体に測色器３２０のデータを保存し、これをコントローラー１００のＵＳＢ端子などの入力端子に記録媒体を結合することで色値のデータを直接受け渡しても良い。
【００４６】
コントローラー１００の制御部１１０は、測色器３２０側から色値を受け取り（Ｓ１０５）、取得した各パッチの色値と、ステップＳ１０４で対応づけた組データ（Ｒ、Ｇ、Ｂ、Ｋ）から図６（ａ）に示したような４次元ＬＵＴを作成し、これを記憶部１２０に保存して終了する（Ｓ１０６）。
【００４７】
＜スキャナープロファイルの使用１（色値の算出）＞
続いて、図８を参照して、作成したスキャナープロファイルの用い方について説明する。同図はスキャナープロファイルを用いた色値の取得方法を示す制御フロー図であり、コントローラー１００の制御部１１０が主体となり、画像形成装置２００の制御部２１０と協働して実行するものである。
【００４８】
最初に、制御部１１０は記憶部１２０に保存している登録チャートのチャート画像データＤ３に基づいてプリント部２６０により印刷を実行させる（Ｓ２０１）。ここで登録チャートとは、事前にコントローラー１００に登録しておくことで、本制御フローによるスキャナープロファイルを用いたデバイス非依存色空間の色（第２の色値）を得るための測色を行えるようにしたものである。この登録は、操作部１４０、表示部１５０を通じたユーザーの指示に基づいて行うことができる。
【００４９】
得られた印刷物は、任意にＣ、Ｍ、Ｙ、Ｋの組み合わせた複数のパッチ画像が形成されている。なお、このとき全てのパッチ画像を１枚の用紙上に形成しても、複数枚の用紙に渡って形成するようにしても良い。
【００５０】
続いて印刷した印刷物をスキャナー部２７０で読み取り、ＲＧＢの色値を取得する（Ｓ２０２）。次に記憶部１２０から登録チャートのチャート画像データＤ３のＫ値を読み出し（Ｓ２０３）、これをステップＳ２０２で取得した色値と対応づける。これをそれぞれのパッチに対して行う（Ｓ２０４）。
【００５１】
そして、記憶部１２０から予め保存されているスキャナープロファイル（ＲＧＢＫ−ＸＹＺ）を読み出す（Ｓ２０５）。このスキャナープロファイルは、図７の制御フローで作成され、保存されたものである。これを用いて、ステップＳ２０４で対応づけた組データ（ＲＧＢＫ）からデバイス非依存色空間の色値であるＣＩＥ  ＸＹＺを算出して終了する（Ｓ２０６）。
【００５２】
＜Ｋ版量を用いることのメリット＞
従来の技術においては、スキャナーで読み取り得られたＲＧＢの色値を、３次元ＬＵＴを用いてＣＩＥ  ＸＹＺ、あるいはＬ＊ａ＊ｂ＊などのデバイス非依存色空間の色値に変換していた。しかし、ＲＧＢをＸＹＺに高精度で変換することは困難であり、ある特定の条件の場合には一対一に変換できない場合がある。例えば、ＣＭＹＫ１（ＣＭＹＫ＝４０，３５，３５，０）、ＣＭＹＫ２（ＣＭＹＫ＝０，０，０，５０）といったＫ以外の３色の色材とＫ色材のみによるグレー色の２つのパッチ画像を、用紙上に形成する。そして、これらをスキャナー部２７０、測色器３２０でそれぞれ測色した場合には、スキャナー部２７０による色値はともにＲＧＢ（７０，７０，７０）を示すが、測色器３２０による色値は、ＣＭＹＫ１の画像ではＸＹＺ（２５，２５，２５）の色値を、ＣＭＹＫ２の画像ではＸＹＺ（２５，２５，２８）の色値といったように両者は異なる値を示す。この理由を以下、図を参照して説明する。
【００５３】
図９は、横軸を波長（ｎｍ）、縦軸を相対的な分光感度特性とした図であり、スキャナー部２７０のＲ、Ｇ、Ｂセンサーそれぞれの分光感度特性、およびＸ、Ｙ、Ｚ用フィルターである等色関数（ただし縦軸の長さが等しくなるように比率を調整している）を示したものである。同図に示すように、Ｘ、Ｙ、Ｚ用フィルターである等色関数とＲ、Ｇ、Ｂセンサーとでは波形が一致していない。
【００５４】
図１０は、分光反射率を示す図であり、横軸は波長（ｎｍ）、縦軸は反射率を示している。図には２つのパッチ画像ＣＭＹＫ１、およびパッチ画像ＣＭＹＫ２の分光分布を示している。同図の括弧内の数字は左から順にＣ、Ｍ、Ｙ、Ｋの画像データの信号値を示しており、ＣＭＹＫ１はＫ以外のＣＭＹの３色の色材によりグレー色を、ＣＭＹＫ２は、Ｋの色材のみによりグレー色を形成したものである。また参考として、Ｃｙａｎ、Ｍａｇｅｎｔａ、Ｙｅｌｌｏｗの各色の色材の分光分布も併せて示している。
【００５５】
同図から、Ｋの色材のみで形成したパッチ画像の分光分布であるＣＭＹＫ２の波形は比較的フラットであるのに比較してＣ、Ｍ、Ｙの３色の色材で形成したパッチ画像に対応するＣＭＹＫ１の波形は、各色材の波長分布に対応して凹凸が生じていることが理解できる。
【００５６】
図１１は、図９と図１０の波形を重ね、スキャナー部のＢセンサーと、Ｚ用フィルターの等色関数の周辺のみを抽出したものである。そのうち
図１１（ａ）は、ＣＭＹＫ１のスキャナー部のＢセンサーを通して算出されるＢの色値を説明する図であり、
図１１（ｂ）は、ＣＭＹＫ２のスキャナー部のＢセンサーを通して算出されるＢの色値を説明する図であり、
図１１（ｃ）は、ＣＭＹＫ１のＺ用フィルターの等色関数から算出される三刺激値Ｚの色値を説明する図であり、
図１１（ｄ）は、ＣＭＹＫ２のＺ用フィルターの等色関数から算出される三刺激値Ｚの色値を説明する図である。
【００５７】
図１１（ａ）、（ｂ）において、網掛けの面積Ｓ１、Ｓ２は、スキャナー部のＢセンサーを通して算出されるＢの色値である。これは波長毎の分光分布にＢセンサーの感度特性を乗算し、積分して求められる。図１１（ａ）と図１１（ｂ）では面積Ｓ１＝面積Ｓ２であることから、Ｂの色値はともに同じ値７０を示す。
【００５８】
図１１（ｃ）、（ｄ）でも同様に、網掛けの面積Ｓ３、Ｓ４は、Ｚ用フィルターの等色関数から算出される三刺激値Ｚの色値である。これは波長毎の分光分布にＺ用フィルターの等色関数の感度特性を乗算し、積分して求められる。図１１（ｃ）と図１１（ｄ）では面積Ｓ３≠Ｓ４であることから、Ｚの色値は図１１（ｃ）では２５を、図１１（ｄ）では２８を示し、両者では異なる値になる。
【００５９】
このように、ＣＭＹＫ１（ＣＭＹＫ＝４０，３５，３５，０）とＣＭＹＫ２（ＣＭＹＫ＝０，０，０，５０）のような、Ｋ版量が異なるパッチ画像同士においては、図１０のように分光分布が一致しないため、たとえスキャナー部２７０によるＲＧＢの色値が同じであっても、測色器３２０によるＣＩＥ  ＸＹＺの色値が互いに異なる場合がある。
【００６０】
そこで本実施形態においては、スキャナー部２７０から得られたＲＧＢの色値に、さらに画像データのＫ値の信号を加えたＲＧＢＫを入力とし、この入力に対するデバイス非依存色空間の色値への対応関係を記述するスキャナープロファイルを作成している。このように作成したスキャナープロファイルを用いることで、ＲＧＢＫの信号から高精度でデバイス非依存色空間の色値を算出することが可能となる。
【００６１】
＜スキャナープロファイルの使用２（デバイスプロファイルの作成）＞
次に、図１２を参照してプリンター・プロファイルの作成方法について説明する。
【００６２】
図１２は、プリンター・プロファイルの作成方法を示す制御フロー図である。同図は、印刷システムがデバイスプロファイル作成用プログラムを用いて実行されるものである。最初に、コントローラー１００の制御部１１０は、記憶部１２０に保存されているプリンター・プロファイル作成用のチャート画像データＤ２を読み出し、この印刷を画像形成装置２００のプリント部２６０により実行させる（Ｓ３０１）。プリンター・プロファイル作成用のチャート画像の１例としては、ＩＳＯ１２６４２規格のカラーチャート（図５（ｂ）参照）がある。
【００６３】
得られた印刷物には、例えば図５（ｂ）のように１枚の用紙上に複数段階のＫ版量を組み合わせることで色と濃度を異ならせた複数のパッチ画像が形成されている。これをスキャナー部２７０で読み取り、ＲＧＢの色値を取得する（Ｓ３０２）。次に記憶部１２０から印刷物の元画像データであるチャート画像データＤ２のＫ値を読み出し（Ｓ３０３）、これをステップＳ３０２で取得した色値と対応づける。これをそれぞれのパッチに対して行う（Ｓ３０４）。
【００６４】
記憶部１２０から予め保存してあるスキャナープロファイル（ＲＧＢＫ−ＸＹＺ）を読み出す（Ｓ３０５）。これは図７の制御フローで作成されたプロファイルである。これを用いて、ステップＳ３０４で対応づけた（ＲＧＢＫ）からデバイス非依存色空間の色値であるＣＩＥ  ＸＹＺの算出を行う（Ｓ３０６）。
【００６５】
続いて、公知である下記の変換式を用いて、ステップＳ３０６で得られたＸＹＺの色値を、Ｌ＊ａ＊ｂ＊の色値に変換する（Ｓ３０７）。
【００６６】
【数１】
2015228579.tif 000003
【００６７】
ステップＳ３０２の印刷に用いたチャート画像データＤ２の複数のパッチそれぞれのＣＭＹＫの信号値と、ステップＳ３０７で変換して得られたＬ＊ａ＊ｂ＊から、ＣＭＹＫ値を４次元格子状にとった入力点について、Ｌ＊ａ＊ｂ＊値が記述された第１のルックアップテーブル（ＣＭＹＫ→Ｌ＊ａ＊ｂ＊のＬＵＴ）（図６（ｂ）参照）を作成し（Ｓ３０８）、次に、この第１のルックアップテーブルのデータを用いて、Ｌ＊ａ＊ｂ＊値を３次元格子状にとった入力点の各々について、ＣＭＹＫの出力値が記述された第２のルックアップテーブル（Ｌ＊ａ＊ｂ＊→ＣＭＹＫのＬＵＴ）（図６（ｃ）参照）を作成し（Ｓ３０９）。これを記憶部１２０に保存して終了する。
【００６８】
このように予め保存されているスキャナープロファイルを用いて、ＣＭＹＫとデバイス非依存色空間の色値とを相互に変換可能なプリンター・プロファイルを作成することができる。このプリンター・プロファイル作成時には、スキャナー部２７０とプリント部２６０があれば特別な測色器３２０を用いずにプリンター・プロファイルの作成が可能である。これによりユーザーは非常に簡単に、デバイス非依存色空間の色値に相互に変換可能な精度の高いプリンター・プロファイルを作成することができる。
【００６９】
なお、同図の例では、スキャナープロファイルを用いて算出したＣＩＥ  ＸＹＺを、Ｌ＊ａ＊ｂ＊へ変換した上で第１、第２のＬＵＴを作成したが、Ｌ＊ａ＊ｂ＊への変換を省略し、ＣＩＥ  ＸＹＺとＣＭＹＫへの変換するためのＬＵＴあるいはその逆の変換を行うためのＬＵＴを作成しても良い。
【００７０】
次に、図１３を参照してターゲット・デバイスのデバイスプロファイルの作成方法について説明する。
【００７１】
図１３は主にコントローラー１００が実行する制御フロー図である。最初に制御部１１０は、ユーザーの指示に基づいてターゲット・デバイスで出力されたデバイスプロファイル評価チャートの画像データを印刷した印刷物をスキャナー部２７０で読み取らせる（Ｓ４０１）。ターゲット・デバイスとは、標準規格の基準を満たす基準となるデバイス、あるいは他の印刷機あるいは他のプリンターなどのデバイスである。ターゲット・デバイスは、ＣＭＹＫの色信号で構成される画像データに基づいた印刷ができればよい。
【００７２】
ターゲット・デバイスの印刷物は特に制限はされないが、ターゲット・デバイスの色域全体の色を測定できるようなデバイスプロファイル作成用チャートであればよい。例えば
図５（ｂ）に示したようなＩＳＯ１２６４２規格のカラーチャーである
制御部１１０は印刷物の元データであるデバイスプロファイル評価チャートの画像データを取得する。この画像データは、ＤＶＤ、ＣＤ、ＵＳＢメモリなどの可搬型の記憶媒体から、またはネットワーク４００を経由して入手する。そして取得した画像データを解析し、これからＫ値を取得する（Ｓ４０２）。
【００７３】
画像データに含まれる色票のパッチそれぞれに対して、Ｋ値とステップＳ４０１で得られたＲＧＢの色値を対応づける。これをそれぞれのパッチに対して行う（Ｓ４０３）。
【００７４】
以降のステップＳ４０４〜Ｓ４０８は図１２のステップＳ３０３〜Ｓ３０７にそのまま対応するものであり、説明は省略するが、ここでも図１２と同様に記憶部１２０に保存してあるスキャナープロファイルを用いて算出したＣＩＥ  ＸＹＺの色値により第１、第２のＬＵＴを作成する。
【００７５】
このようにすることでターゲット・デバイスのＣＭＹＫに対するＣＩＥ  ＸＹＺの関係を記述した第１のＬＵＴ、あるいはこの逆の関係を記述した第２のＬＵＴの作成を、測色器３２０を用いずとも、スキャナープロファイルを用いることで行うことができる。
【００７６】
以上、本発明について、実施形態により説明したが、本発明は上述した実施形態に限定されるものではない。
【００７７】
例えば、図１の例ではコントローラー１００と画像形成装置２００を独立した装置として説明したが、コントローラー１００の機能を画像形成装置２００側に取り込んでもよい。
【００７８】
また、スキャナー部２７０の例として画像形成装置２００の内部で画像が形成された用紙が搬送される搬送経路中に設けた例を説明したが、これに代えて、一般的なコピー機で広く用いられている原稿台（プラテンガラス）を備え、原稿台に載置されたあるいはＡＤＦにより搬送された原稿用紙を読み取り可能なスキャナーとしても良い。その場合は、読み取った印刷物と、印刷物のチャート画像データおよび各パッチとの対応づけはユーザーの指定により、または制御部が印刷物に印刷したバーコード等の特徴的な画像を認識したり、レジスターマークを認識したりすることにより実現可能である。
【００７９】
さらに、プリント部を分離し、スキャナー部２７０とコントローラー１００の機能を備える画像読取システムとし、画像読取システムが、上述した制御フローを実行するようにしても良い。
【符号の説明】
【００８０】
１００  コントローラー
１１０  制御部
１２０  記憶部
１３０  通信インターフェース
１４０  操作部
１５０  表示部
２００  画像形成装置
２１０  制御部
２２０  記憶部
２３０  通信インターフェース
２４０  操作部
２５０  表示部
２６０  プリント部
２７０  スキャナー部
３１０  端末
３２０  測色器
４００  ネットワーク
【図１】
2015228579.tif 000004
【図２】
2015228579.tif 000005
【図３】
2015228579.tif 000006
【図４】
2015228579.tif 000007
【図５】
2015228579.tif 000008
【図６】
2015228579.tif 000009
【図７】
2015228579.tif 000010
【図８】
2015228579.tif 000011
【図９】
2015228579.tif 000012
【図１０】
2015228579.tif 000013
【図１１】
2015228579.tif 000014
【図１２】
2015228579.tif 000015
【図１３】
2015228579.tif 000016